(57)【要約】【課題】直流電源を供給可能な防水コンセントを提供する。【解決手段】防水コンセントＡは、ベース２及びカバー３からなり、直流の安全特別低電圧電源用のプラグが挿抜自在に接続されるプラグ接続部４０を具備したコンセント１を内部に収納するとともに、コンセント１のプラグ接続部４０を露出させる下向き開口部１６を有したケース４と、ケース４を造営材に取り付ける際にケース４の取付面と造営材との間に介在する防水パッキン５を備える。またコンセント１のプラグ接続部４０は、プラグの先端部が挿入される丸穴状のプラグ挿入用穴４１と、プラグ挿入用穴４１の底面から前方に向かって突出する円柱状の突出部４２と、突出部４２の前面に開口してプラグ側端子が差込接続される端子挿入用孔４３ａ，４３ｂと、端子挿入用孔４３ａ，４３ｂを通して突出部４２内に挿入されるプラグ側端子に電気的に接続される刃受部材を備える。【選択図】図１
2010129232.tif 000002
【特許請求の範囲】
【請求項１】
直流電源用のプラグが挿抜自在に接続されるプラグ接続部を具備したプラグ受けを内部に収納するとともに、前記プラグ受けのプラグ接続部を露出させる下向き開口部を有したケースと、当該ケースを造営材に取り付ける際にケースの取付面と造営材との間に介在する防水パッキンとを備え、
前記プラグ受けのプラグ接続部は、前記プラグの先端部が挿入される丸穴状のプラグ挿入用穴と、プラグ挿入用穴の内周面との間に隙間を設けた状態で、プラグ挿入用穴の底面から前方に向かって突出する円柱状の突出部と、当該突出部の前面に開口して、前記プラグが備えるプラグ側端子が差込接続される端子挿入用孔と、端子挿入用孔を通して突出部の内部に挿入されるプラグ側端子に電気的に接続される刃受部材とを備えたことを特徴とする防水コンセント。
【請求項２】
前記プラグ受けの器体は、大角形連用配線器具の取付枠に３個まで並べて取着可能なモジュール寸法の整数個分の大きさに形成され、前記取付枠を介して前記ケースに取り付けられることを特徴とする請求項１記載の防水コンセント。
【請求項３】
前記プラグ受けは、外部の直流電源からの電線が接続される電源入力端子と、電源入力端子に供給された直流電源を負荷機器に適合した電圧値に変換して前記刃受部材に供給するＤＣ／ＤＣコンバータとを備えたことを特徴とする請求項１又は２の何れか１項に記載の防水コンセント。
【請求項４】
前記ケースの下向き開口部に前記プラグ受けと並設される商用交流電源のコンセントを備えたことを特徴とする請求項１乃至３の何れか１項に記載の防水コンセント。
【請求項５】
前記プラグ受けは、商用交流電源の給電線が接続される電源入力端子と、電源入力端子に供給された商用交流電源を直流電源に変換するＡＣ／ＤＣコンバータと、ＡＣ／ＤＣコンバータから供給される直流電源の電圧値を負荷に適合した電圧値に変換して前記刃受部材に供給するＤＣ／ＤＣコンバータとを備えたことを特徴とする請求項１又は２の何れか１項に記載の防水コンセント。
【請求項６】
前記プラグ受けは、前記プラグ接続部を複数備えるとともに、商用交流電源の給電線が接続される電源入力端子と、電源入力端子に供給された商用交流電源を直流電源に変換するＡＣ／ＤＣコンバータと、ＡＣ／ＤＣコンバータから供給される直流電源の電圧値を負荷に適合した電圧値に変換して直流用のプラグ接続部の刃受部材に供給するＤＣ／ＤＣコンバータと、電源入力端子に供給された商用交流電源から一次側と絶縁された交流の安全特別低電圧電源を生成して交流用のプラグ接続部の刃受部材に供給するＡＣ／ＡＣコンバータとを備えたことを特徴とする請求項１又は２の何れか１項に記載の防水コンセント。
【請求項７】
前記プラグ受けは、安全特別低電圧回路のプラグ受けを規定したＩＥＣ規格に準拠していることを特徴とする請求項１乃至６の何れか１つに記載の防水コンセント。
【発明の詳細な説明】
【技術分野】
【０００１】
本発明は、防水コンセントに関するものである。
【背景技術】
【０００２】
従来、自動販売機などの屋外に設置される電気機器に交流電源を供給するために、建物の外壁のような造営材に取り付けられる防水コンセントが提供されている（例えば特許文献１参照）。
【特許文献１】特開２００６−２４４７１９号公報
【発明の開示】
【発明が解決しようとする課題】
【０００３】
従来の防水コンセントは商用交流電源（ＡＣ１００Ｖ）を供給するためのもので、例えばラジオやＬＥＤを光源とする庭園灯のように、直流電源を駆動電源とする直流機器を屋外で使用したい場合や、屋外の駐車スペースに駐車した電気自動車の走行用バッテリを充電したい場合に、直流電源を供給可能な防水コンセントは従来提供されてなかった。そのため、屋外で使用される直流機器や電気自動車に直流電源を供給したい場合は、商用交流電源を供給するための防水コンセントにＡＣ／ＤＣ変換アダプタを接続し、ＡＣ／ＤＣ変換アダプタにより交流電源を直流に変換して直流機器に供給する必要があった。
【０００４】
本発明は上記問題点に鑑みて為されたものであり、その目的とするところは、直流電源を供給可能な防水コンセントを提供することにある。
【課題を解決するための手段】
【０００５】
上記目的を達成するために、請求項１の発明は、直流電源用のプラグが挿抜自在に接続されるプラグ接続部を具備したプラグ受けを内部に収納するとともに、プラグ受けのプラグ接続部を露出させる下向き開口部を有したケースと、当該ケースを造営材に取り付ける際にケースの取付面と造営材との間に介在する防水パッキンとを備え、プラグ受けのプラグ接続部は、プラグの先端部が挿入される丸穴状のプラグ挿入用穴と、プラグ挿入用穴の内周面との間に隙間を設けた状態で、プラグ挿入用穴の底面から前方に向かって突出する円柱状の突出部と、当該突出部の前面に開口して、プラグが備えるプラグ側端子が差込接続される端子挿入用孔と、端子挿入用孔を通して突出部の内部に挿入されるプラグ側端子に電気的に接続される刃受部材とを備えたことを特徴とする。
【０００６】
請求項２の発明は、請求項１の発明において、プラグ受けの器体は、大角形連用配線器具の取付枠に３個まで並べて取着可能なモジュール寸法の整数個分の大きさに形成され、取付枠を介してケースに取り付けられることを特徴とする。
【０００７】
請求項３の発明は、請求項１又は２の何れか１つの発明において、プラグ受けは、外部の直流電源からの電線が接続される電源入力端子と、電源入力端子に供給された直流電源を負荷機器に適合した電圧値に変換して刃受部材に供給するＤＣ／ＤＣコンバータとを備えたことを特徴とする。
【０００８】
請求項４の発明は、請求項１乃至３の何れか１つの発明において、ケースの下向き開口部にプラグ受けと並設される商用交流電源のコンセントを備えたことを特徴とする。
【０００９】
請求項５の発明は、請求項１又は２の何れか１つの発明において、プラグ受けは、商用交流電源の給電線が接続される電源入力端子と、電源入力端子に供給された商用交流電源を直流電源に変換するＡＣ／ＤＣコンバータと、ＡＣ／ＤＣコンバータから供給される直流電源の電圧値を負荷に適合した電圧値に変換して刃受部材に供給するＤＣ／ＤＣコンバータとを備えたことを特徴とする。
【００１０】
請求項６の発明は、請求項１又は２の何れか１つの発明において、プラグ受けは、プラグ接続部を複数備えるとともに、商用交流電源の給電線が接続される電源入力端子と、電源入力端子に供給された商用交流電源を直流電源に変換するＡＣ／ＤＣコンバータと、ＡＣ／ＤＣコンバータから供給される直流電源の電圧値を負荷に適合した電圧値に変換して直流用のプラグ接続部の刃受部材に供給するＤＣ／ＤＣコンバータと、電源入力端子に供給された商用交流電源から一次側と絶縁された交流の安全特別低電圧電源を生成して交流用のプラグ接続部の刃受部材に供給するＡＣ／ＡＣコンバータとを備えたことを特徴とする。
【００１１】
請求項７の発明は、請求項１乃至６の何れか１つの発明において、プラグ受けは、安全特別低電圧回路のプラグ受けを規定したＩＥＣ規格に準拠していることを特徴とする。
【発明の効果】
【００１２】
請求項１の発明によれば、直流電源を供給可能なプラグ接続部を具備しているので、直流電源を供給可能な防水コンセントを実現でき、屋外で使用される直流機器や電気自動車に防水コンセントから直流電源を供給することができる。
【００１３】
請求項２の発明によれば、プラグ受けの器体は取付枠を用いてケースに取り付けられるので、電圧値の異なる複数種類の防水コンセントでケースを共通化できるから、金型などの製造コストを低減することができる。
【００１４】
請求項３の発明によれば、外部から入力された直流電源の電圧値を、ＤＣ／ＤＣコンバータにより負荷に適合した電圧値に変換することができる。
【００１５】
請求項４の発明によれば、防水コンセントに、直流電源を供給するプラグ接続部と、商用交流電源のコンセントとを並設することができる。
【００１６】
請求項５の発明によれば、商用交流電源をＡＣ／ＤＣコンバータにより直流電源に変換し、さらにＤＣ／ＤＣコンバータにより電圧値を変換することで、負荷に適合した電圧値の直流電源を供給することができる。
【００１７】
請求項６の発明によれば、商用交流電源をＡＣ／ＤＣコンバータにより直流電源に変換し、さらにＤＣ／ＤＣコンバータにより電圧値を変換することで、負荷に適合した電圧値の直流電源を供給することができ、さらに商用交流電源をＡＣ／ＡＣコンバータにより交流の安全特別低電圧電源に変換して、交流機器に供給することもできる。
【００１８】
請求項７の発明によれば、ＩＥＣ規格に準拠したプラグを備える電気機器を接続して、使用することができる。
【発明を実施するための最良の形態】
【００１９】
本発明の実施形態を図面に基づいて説明する。
【００２０】
本実施形態の防水コンセントＡは、例えば建物の外壁のような造営材に取り付けられるもので、図１〜図４に示すように、安全特別低電圧（ＳＥＬＶ：Safty Extra Low Voltage）電源用のプラグが挿抜自在に接続されるプラグ接続部４０をそれぞれ具備した複数個（例えば３個）のコンセント（プラグ受け）１と、ベース２及びカバー３からなり、複数個のコンセント１を内部に収納するとともに、各コンセント１のプラグ接続部４０を露出させる下向き開口部１６を有したケース４と、ケース４を造営材１００に取り付ける際にケース４（すなわちベース２）の取付面と造営材１００との間に介在する防水パッキン５とを備えている。尚、以下の説明では特に断りがないかぎり、図１（ａ）に示す向きにおいて上下左右の方向を規定し、図１（ａ）中の正面を前面という。したがって、図１（ｂ）中の右側は後側となる。
【００２１】
ケース４は、それぞれ合成樹脂成形品からなるベース２及びカバー３から構成される。
【００２２】
ベース２は、図３及び図４に示すように矩形板状であって、下側辺を除く３辺には前方に突出するリブ６が外周に沿って突設されている。またベース２の中央部には電線導入孔７が開口するとともに、上下両側部には造営材１００に埋込配設されたスイッチボックス（図示せず）にベース２を固定するためのボックスねじ１８を挿通するねじ挿通孔８が左右方向に沿って３個ずつ形成されている。尚、左右方向の両側に開口するねじ挿通孔８の間隔は、２連タイプのスイッチボックスに取付可能な寸法（約４６ｍｍ）に設定されており、１連タイプのスイッチボックスに取り付ける際は例えば左右方向中央のねじ挿通孔８を用いてスイッチボックスに取り付ければよく、また２連タイプのスイッチボックスに取り付ける際は、左右方向の両側にあるねじ挿通孔８を用いてスイッチボックスに取り付ければよい。
【００２３】
またベース２の下側部には、ねじ挿通孔８が開口する位置よりも上側に、前方に向かって突出する矩形板状の器具取付片９が立設されている。この器具取付片９は、取付枠８０を固定するための固定ねじ１９を挿通させる挿通孔１０，１０を左右両側部に備えるとともに、取付枠８０に保持されたコンセント１の前面を露出させる開口窓１１を中央に備えている。
【００２４】
一方、カバー３は、後面及び下面が開口した略箱状であって、側面視の形状がそれぞれ扇形に形成された一対の側壁１２，１２と、両側壁１２，１２の円弧部分を連結する曲面からなる前壁１３とを備えている。側壁１２，１２の内側面には、挿通孔１４ａを有するリブ１４がそれぞれ突設され、各挿通孔１４ａの一端側は前壁１３の表面に開口しており、挿通孔１４ａに通した組立ねじ１５をベース２のねじ孔２ａに螺合することによって、カバー３がベース２に結合される。そして、ベース２とカバー３とを組み立てた状態では、カバー３の側壁１２，１２及び前壁１３とベース２とで囲まれる下向き開口部１６が、ベース２の器具取付片９によって閉塞されており、器具取付片９に取付枠８０を介して保持されたコンセント１が、下向き開口部１６に露出するようになっている。
【００２５】
次に、ケース４の内部に収納されるコンセント１について図５〜図８を参照して説明する。コンセント１は合成樹脂製の器体２０を備え、この器体２０は、前面が開口した略箱状の合成樹脂製のボディ２１と、後面が開口した略箱状の合成樹脂製のカバー２２とを、金属製の組立枠２３，２３にて結合して組み立てられる。
【００２６】
カバー２２の前面には突台２４が一体に突設され、突台２４の前面にはＳＥＬＶ電源用のプラグが着脱自在に接続されるプラグ接続部４０が設けられている。また突台２４の左右両側の肩部２５には、略コ字状に形成された組立枠２３の中央片がそれぞれ載置される。組立枠２３の両脚片は、カバー２２およびボディ２１の側面にそれぞれ形成された係止凹部２６，２７に挿入され、両脚片の先端部に設けた略Ｖ形の引掛爪２３ｃを拡開させて係止凹部２７の両側段部に係止させることによって、ボディ２１とカバー２２とが組立枠２３，２３により結合される。なお組立枠２３の中央片の外側縁には、合成樹脂製の取付枠８０（図３参照）に設けられた取付孔に係合可能な一対の係止爪２３ａが突設されるとともに、中央片の内側縁から前方に突出する突出片に、金属製の取付枠（図示せず）に取り付ける際に取付枠の係止爪が係止される係止孔２３ｂが設けられている。ここにおいて、係止爪２３ａ及び係止孔２３ｂから、前面を取付枠の開口から前方に露出させた状態で、取付枠の被係合部に係止離脱可能に係合する係合手段が構成される。
【００２７】
一方、図７に示すようにボディ２１の内部を隔壁２８などで仕切ることによって、ボディ２１の左右両側には端子収納室２９，２９が設けられている。各端子収納室２９には、外部の直流電源からの電線が接続される端子部３０（電源入力端子）がそれぞれ収納されている。またボディ２１の底面には、図５（ｄ）に示すように各端子収納室２９と外部とを連通する各一対の電線挿入孔２１ａと、解除釦操作孔２１ｂとがそれぞれ形成されている。尚、コンセント１が直流電源用の場合、直流電源からの電線には極性があるので、電線の誤接続を防止するため、図５（ｄ）に示すようにボディ２１の底面において電線挿入孔２１ａの近傍に電源の種別や極性を示す文字や記号（例えば「ＤＣ４８Ｖ」の文字や「＋」、「−」といった記号）を印刷などの方法で表示しても良く、誤接続の虞を低減することができる。
【００２８】
各端子部３０は、図７に示すように、電線挿入孔２１ａから内部に挿入された電線に接続される側面視略コ字形の端子板３１と、２個の電線挿入孔２１ａから器体２０内に挿入された電線の芯線をそれぞれ端子板３１に圧接接続する２個の鎖錠ばね３２と、端子板３１と電線との接続を外すために２個１組の鎖錠ばね３２を圧接解除方向に同時に撓ませる解除釦３３とを具備した速結端子構造を有している。ここで、端子板３１，３１は、それぞれ、プラグＢのプラグ側端子である棒状端子５４ａ，５４ｂ（図４及び図９参照）を受ける刃受部材３４，３４に電気的に接続されている。なお刃受部材３４は弾性を有する帯板を逆Ω字形に曲成して形成されており、底片の両側から突出する一対の刃受ばね片３４ａは互いに対向配置され、両者の間隔が上方ほど幅狭となるように傾斜し、且つ、上端間は棒状端子５４ａ，５４ｂが挿入しやすいよう上方ほど間隔が広がるように傾斜している。
【００２９】
そして、端子板３１のコ字状部分に鎖錠ばね３２が配置されると、端子板３１の一方の側片３１ａに鎖錠ばね３２に設けた鎖錠片３２ａ及び接触片３２ｂが対向する。鎖錠片３２ａ及び接触片３２ｂは、弾性を有する導電材料の帯板の両端部を曲成して中央片３２ｃの両端部に形成されている。鎖錠片３２ａは中央片３２ｃとの連結部位から先端縁に向かって端子板３１の側片３１ａに近づく向きに傾斜し、接触片３２ｂは略Ｓ字形に曲成されている。また、中央片３２ｃは略平板状に形成されていて端子板３１の他方の側片３１ｂに当接する。なお端子板３１は、各端子収納室２９内に一対の鎖錠ばね３２と解除釦３３とが納装された後、端子板３１のコ字状部分に鎖錠ばね３２及び解除釦３３を収めるようにして端子収納室２９に収納されるのである。
【００３０】
この端子部３０に電線を接続するにあたっては、電線の被覆が剥かれた芯線をボディ２１の底面に開口する電線挿入孔２１ａに挿入すると、この芯線が鎖錠ばね３２の鎖錠片３２ａ及び接触片３２ｂと端子板３１の側片３１ａとの間に挿入され、鎖錠片３２ａの先端が電線に食い込んで抜け止めがなされるとともに、鎖錠片３２ａ及び接触片３２ｂによって電線が端子板３１の側片３１ａに圧接されることにより、電線と端子板３１との導通（接続）が図られる。すなわち端子部３０として速結端子構造のものを用いることで、特別な工具を必要とせずに電線の接続作業が行え、電線接続作業の作業性を向上させることができる。また電線を取り外す際には、解除釦操作孔２１ｂを通して挿入されたマイナスドライバなどの工具により解除釦３３が押動されると、解除釦３３に押されて鎖錠ばね３２の鎖錠片３２ａが側片３１ａから離れる向きに撓められ、鎖錠片３２ａの先端が電線から引き離されるので、電線を容易に引き抜くことができ、電線の取り外し作業を容易に行うことができる。
【００３１】
次にコンセント１が備えるプラグ接続部４０について説明する。プラグ接続部４０及びプラグ接続部４０に着脱自在に接続されるプラグＢはそれぞれＩＥＣ規格（ＣＥＩ／ＩＥＣ  ９０６−３）に準拠しており、上記のＩＥＣ規格では８種類（交流及び直流の６Ｖ，１２Ｖ，２４Ｖ，４８Ｖ）のＳＥＬＶ電源に対してプラグ及びソケット（プラグ受け）の形状、寸法および極配置が規定されている。
【００３２】
先ずプラグ接続部４０に接続されるプラグＢについて図９及び図１０を参照して説明する。プラグＢは例えば直流機器からの電線６０の端部に接続されている。プラグＢは略円柱状のプラグ本体５１を備え、プラグ本体５１の先端側には後側よりも細径となる円筒状の嵌合部５２が一体に設けられている。嵌合部５２の前面には、丸穴状に凹んだ嵌合穴５３が開口しており、嵌合穴５３の内周面には基準位置を示す基準リブ５５がコネクタ接続方向（図９における上下方向）に沿って突設されている。そして、図１０（ａ）に示すようにプラグ本体５１の中心位置を通り、当該中心位置と基準リブ５５とを結ぶ線分に対して直交する直線上には、中心位置に対して対称な位置に、プラグ本体５１の軸方向（コネクタ接続方向）に沿って延びる丸棒状の２本の棒状端子５４ａ，５４ｂが配置されている。
【００３３】
ここで、直流電源用のプラグＢでは、図１０（ａ）に示すように基準リブ５５を上側に見た時に右側に位置する棒状端子５４ａが正極側、左側に位置する棒状端子５４ｂが負極側の棒状端子となっている。また嵌合穴５３の内周面には、電源の種類（直流又は交流の別、及び定格電圧）に応じた位置に、プラグ挿抜方向に沿って延びる誤接続防止用の識別リブ５６が突設されている。図１０（ａ）は直流電源用のプラグＢに設けられた識別リブ５６の位置を示し、電源電圧がＤＣ６Ｖ，１２Ｖ，２４Ｖ，４８Ｖの場合、それぞれ、基準リブ５５の位置を基準（０°）として左回りに１２０°，１５０°，２１０°，２４０°の位置に識別リブ５６が１箇所ずつ形成されている。また図１０（ｂ）は交流電源用のプラグＢに設けられた識別リブ５６を示しており、電源電圧がＡＣ６Ｖ，１２Ｖ，２４Ｖ，４８Ｖの場合、それぞれ、基準リブ５５の位置を基準として左回りに３０°，６０°，３００°，３３０°の位置に識別リブ５６が１箇所ずつ形成されている。
【００３４】
一方、プラグ接続部４０は、図５、図７及び図８に示すように、プラグＢの先端部（嵌合部５２）が挿入される丸穴状のプラグ挿入用穴４１と、プラグ挿入用穴４１の内周面との間に隙間を設けた状態で、プラグ挿入用穴４１の底面から前方に向かって突出して嵌合穴５３内に挿入される円柱状の突出部４２と、当該突出部４２の前面に開口して、プラグＢの先端部に設けた棒状端子５４ａ，５４ｂが差込接続される一対の端子挿入用孔４３ａ，４３ｂと、端子挿入用孔４３ａ，４３ｂを通して器体２０内に挿入される棒状端子５４ａ，５４ｂにそれぞれ電気的に接続される上記の刃受部材３４，３４とを備えている。突出部４２の側周面には基準位置を示す嵌合溝４４ が形成され、突出部４２の中心位置を通り、当該中心位置と嵌合溝４４ とを結ぶ線分に対して直交する直線上には、中心位置に対して対称な位置に端子挿入用孔４３ａ，４３ｂが開口している。尚、図８（ａ）に示すように嵌合溝４４ を上側に見た時に左側に位置する端子挿入用孔４３ａが正極側、右側に位置する端子挿入用孔４３ｂが負極側の端子に対応している。
【００３５】
また突出部４２の側周面には、電源の種類（直流又は交流の別、及び定格電圧）に応じた位置に、対応するプラグＢの識別リブ５６が嵌合する誤接続防止用の嵌合溝４５（誤接続防止溝）が形成されている。図８（ａ）は直流電源用のコンセント１に設けられた嵌合溝４５の位置を示し、電源電圧がＤＣ６Ｖ，１２Ｖ，２４Ｖ，４８Ｖの場合、それぞれ、嵌合溝４４ の位置を基準（０°）として右回りに１２０°，１５０°，２１０°，２４０°の位置に嵌合溝４５が１箇所ずつ形成されている。また図８（ｂ）は交流電源用のコンセント１に設けられた嵌合溝４５の位置を示し、電源電圧がＡＣ６Ｖ，１２Ｖ，２４Ｖ，４８Ｖの場合、それぞれ、嵌合溝４４ の位置を基準（０°）として右回りに３０°，６０°，３００°，３３０°の位置に嵌合溝４５が１箇所ずつ形成されている。このように、プラグ接続部４０では、突出部４２の側周面において給電電圧に応じた位置に、プラグＢ側の識別リブ５６が係入する嵌合溝４５が形成されているので、識別リブ５６及び嵌合溝４５の位置によって、供給電圧の異なるプラグＢがプラグ接続部４０に差込接続されるのを防止することができ、負荷機器に適合した電源を供給することができる。
【００３６】
而して、プラグ接続部４０に適合したプラグＢの嵌合部５２がプラグ挿入用穴４１に挿入されると、嵌合部５２の嵌合穴５３に突出部４２が挿入されるとともに、嵌合部５２の内周面に設けた基準リブ５５及び識別リブ５６がそれぞれ突出部４２の嵌合溝４４ ，４５に係入される。このとき、突出部４２の端子挿入用孔４３ａ，４３ｂを通して突出部４２内に挿入された棒状端子５４ａ，５４ｂは、それぞれ、対応する刃受部材３４，３４に電気的に接続され、端子部３０に入力されたＳＥＬＶ電源がプラグＢを介して負荷機器に供給されるとともに、棒状端子５４ａ，５４ｂに刃受部材３４，３４が弾接する弾接力などによって、プラグＢがプラグ接続部４０に接続された状態で保持される。なおプラグ接続部４０では、突出部４２の前面が器体２０（カバー２２）の前面よりも後退した位置にあるので、プラグ接続部４０に接続されたプラグＢの器体２０前面からの突出量を小さくできる。
【００３７】
また、コンセント１の器体２０は、日本工業規格（ＪＩＳ  Ｃ  ８３０３参照）に準拠した大きさであって、大角形連用配線器具の取付枠８０（ＪＩＳ  Ｃ  ８３７５参照）に３個まで並べて取着可能なモジュール寸法の１個分の大きさ（この大きさを１個モジュール寸法という。）に形成されている。図６（ｂ）はコンセント１を取付枠８０に取り付ける前の状態を示しており、この取付枠８０は、長手方向に対向する取付片８１にボックスねじ用の長孔８２と、はさみ金具が取着される取着孔（図示せず）と、プレートねじ用のねじ孔８３とが少なくとも設けてある。また、取付枠８０の長手方向に沿う側片８５，８６のうち、一方の側片８５には２個で１組となった係止孔（図示せず）が３組ずつ並設され、他方の側片８６には横長の板片８７が垂設されている。この板片８７には開口部８９が長手方向に３個並設され、各開口部８９の下縁には突出片８８が上方へ突設してある。
【００３８】
ここで、防水コンセントＡの施工方法について図３、図４及び図６を参照して説明する。造営材１００に埋込配設されたスイッチボックス（図示せず）を用いて防水コンセントＡを配設する場合には、スイッチボックスに連通して造営材１００に設けられた埋込用孔１０１の周部に防水パッキン５を介してベース２を配置し、ベース２のねじ挿通孔８にボックスねじ１８を通して、スイッチボックスに設けられたねじ孔（図示せず）に螺合することによって、防水パッキン５を介してベース２が造営材１００に固定される。コンセント１は取付枠８０を用いてベース２の器具取付片９に取り付けられるようになっており、先ず、コンセント１の一方の組立枠２３に設けた係止爪２３ａを、取付枠８０の側片８５に設けた係止孔（図示せず）に挿入したのち、他方の組立枠２３の係止爪２３ａを突出片８８の両側の肩部８８ａに載せるようにして開口部８９に挿入すれば、図６（ａ）に示すように突台２４の前面を開口８４から露出させた状態で、器体２０が取付枠８０に取り付けられる。コンセント１を保持した取付枠８０は、器具取付片９の挿通孔１０に通された取付ねじ１９を取付枠８０のねじ孔８３に螺合することによって、ベース２に固定され、このとき取付枠８０に保持されたコンセント１の前面が器具取付片９の開口窓１１から前方に露出する。そして、造営材１００の裏面側から埋込用孔１０１と防水パッキン５とベース２の電線導入孔７とを介して電線９０を表側に引き出し、電線９０の被覆が剥かれた芯線をコンセント１の電線挿入孔２１ａ，２１ａに挿入して端子部３０，３０に接続すると、端子部３０，３０に供給された直流電源が刃受部材３４，３４に供給される。その後、ベース２の前面側にカバー３を被せて、カバー３の挿通孔１４ａに通した組立ねじ１５をベース２のねじ孔２ａに螺合することによって、カバー３がベース２に取り付けられる。このとき、カバー３とベース２とで囲まれる下向き開口部１６がベース２の器具取付片９によって閉塞され、器具取付片９に取付枠８０を介して取り付けられたコンセント１が下向き開口部１６内に露出する。また、カバー３の側壁１２，１２及び前壁１３の内側面の後端部にベース２のリブ６が当接することによって、ベース２とカバー３との当接部位から雨水などが浸入するのを防止するようになっている。
【００３９】
以上説明したように本実施形態の防水コンセントＡは、ベース２及びカバー３からなるケース４の内部に、ＩＥＣ規格に準拠したプラグ接続部４０を具備するコンセント１を収納しているので、ＩＥＣ規格に準拠したプラグＢを備える電気機器を接続して、使用することができる。またコンセント１の器体２０は１個モジュール寸法に形成されているので、図１〜図３に示すように３個のコンセント１を取付枠８０に取り付けることが可能であるが、１個モジュール寸法或いは２個モジュール寸法に形成された他の配線器具と共に取付枠８０に取り付けることもできる。
【００４０】
図１１（ａ）は上記の防水コンセントＡの内部回路図を示し、直流電源Ｅからの電源線を３個のコンセント１の間で送り配線することによって、３個のコンセント１から電圧値の同じ直流電圧が供給されるようになっている。このように本実施形態では、直流電源を供給可能なプラグ接続部４０を有するコンセント１を具備しているので、直流電源を供給可能な防水コンセントＡを実現でき、屋外で使用される直流機器や電気自動車に防水コンセントＡから直流電源を供給することができる。なお防水コンセントＡは、電圧値の同じ直流電圧を供給可能な３個のコンセント１を備えているが、図１２に示すように防水コンセントＡの取付枠８０に、それぞれ１個モジュール寸法に形成された直流電源用のコンセント１，１’と交流電源用のコンセント７０とを取り付けるようにしてもよい。図１１（ｂ）はこの防水コンセントＡの内部回路図を示し、コンセント１からは負荷機器に直流電源Ｅがそのまま供給され、コンセント１’からは内蔵するＤＣ／ＤＣコンバータ４６で電圧値を変換した直流電源が負荷機器に供給され、さらにコンセント７０からは商用交流電源ＡＣが供給されるようになっている。
【００４１】
また上述のコンセント１は１個モジュール寸法に形成されているが、図１３に示すようにコンセント１の器体２０を３個モジュール寸法に形成して、器体２０の前面に３個のプラグ接続部４０ａ，４０ｂ，４０ｃを設け、各プラグ接続部４０ａ，４０ｂ，４０ｃから電圧値の異なる直流電源を供給するようにしても良い。図１４（ａ）はこの防水コンセントＡ（コンセント１）の内部回路図であり、コンセント１では端子部３０，３０に入力された直流電源Ｅ（例えばＤＣ４８Ｖ）をプラグ接続部４０ａにそのまま供給するとともに、ＤＣ／ＤＣコンバータ４６によって電圧値をＤＣ２４Ｖ，ＤＣ１２Ｖにそれぞれ変換した後、プラグ接続部４０ｂ，４０ｃにそれぞれ供給している。また図１４（ｂ）に示すように、コンセント１の端子部３０，３０に商用交流電源ＡＣからの電源線が接続され、端子部３０，３０に供給された交流電源を内蔵するＡＣ／ＤＣコンバータ４７により所定電圧値の直流電源に変換するとともに、ＤＣ／ＤＣコンバータ４６によって負荷に対応した３種類の直流電圧に変換した後、各プラグ接続部４０ａ〜４０ｃに互いに異なる電圧値の直流電圧を供給しても良い。また上述の回路構成では各プラグ接続部４０ａ〜４０ｃから直流のＳＥＬＶ電源を供給するようになっているが、少なくとも１つのプラグ接続部４０ａ〜４０ｃから交流のＳＥＬＶ電源を供給させてもよく、例えば図１４（ｃ）に示すように、端子部３０，３０に供給された交流電源をＡＣ／ＤＣコンバータ４７により所定電圧値の直流電源に変換し、さらにＤＣ／ＤＣコンバータ４６によって負荷に対応した２種類の直流電圧に変換して、プラグ接続部４０ａ，４０ｂに供給するとともに、端子部３０，３０に入力された交流電源をＡＣ／ＡＣコンバータ４８により一次側と絶縁された交流のＳＥＬＶ電源に変換して、プラグ接続部４０ｃに供給させても良い。尚、各プラグ接続部４０ａ〜４０ｃから供給される電源の種類は上記の形態に限定される趣旨のものではなく、対応する負荷機器に適合した電圧値の電源を供給できるように内部回路を構成すれば良い。
【００４２】
また図１５（ａ）（ｂ）に示すようにコンセント１の器体２０を２個モジュール寸法に形成して、器体２０の前面に２個のプラグ接続部４０ａ，４０ｂを設け、各プラグ接続部４０ａ，４０ｂから電圧値の異なる直流電源を供給するとともに、取付枠８０に対してコンセント１と共に１個モジュール寸法に形成された交流電源用のコンセント７０を取り付けても良い。図１６はこの防水コンセントＡの内部回路図であり、商用交流電源ＡＣからの電源線をコンセント１と交流電源用のコンセント７０とに送り配線して、コンセント７０から交流電源を供給するとともに、コンセント１では、端子部３０，３０に入力された交流電源をＡＣ／ＤＣコンバータ４７により所定電圧値の直流電源に変換した後、ＤＣ／ＤＣコンバータ４６によって負荷に対応した２種類の直流電圧に変換して、各プラグ接続部４０ａ，４０ｂに供給している。
【図面の簡単な説明】
【００４３】
【図１】本実施形態の防水コンセントを示し、（ａ）は正面図、（ｂ）は側面図、（ｃ）は下面図である。
【図２】同上の外観斜視図である。
【図３】同上の分解斜視図である。
【図４】同上の取付状態を示す側断面図である。
【図５】同上を構成するコンセントを示し、（ａ）は正面図、（ｂ）は左側面図、（ｃ）は下面図、（ｄ）は背面図である。
【図６】（ａ）は同上のコンセントを取付枠に取り付けた状態の斜視図、（ｂ）はコンセントを取付枠に取り付ける前の状態の斜視図である。
【図７】同上のコンセントの断面図である。
【図８】（ａ）（ｂ）は同上のコンセントに設けられた識別リブの配置を説明する説明図である。
【図９】同上に接続されるプラグの外観斜視図である。
【図１０】（ａ）（ｂ）は同上に接続されるプラグに設けられた識別リブの配置を説明する説明図である。
【図１１】（ａ）（ｂ）は同上の回路構成を示す内部回路図である。
【図１２】同上の防水コンセントの他の構成を示す下面図である。
【図１３】同上の３個モジュール寸法に形成されたコンセントの正面図である。
【図１４】（ａ）〜（ｃ）は同上の防水コンセントの回路構成を示す内部回路図である。
【図１５】同上の２個モジュール寸法に形成されたコンセントを示し、（ａ）はコンセントの正面図、（ｂ）は取付枠への取付状態を示す外観斜視図である。
【図１６】同上の防水コンセントの内部回路図である。
【符号の説明】
【００４４】
Ａ  防水コンセント
Ｂ  プラグ
１  コンセント（プラグ受け）
２  ベース
３  カバー
４  ケース
５  防水パッキン
１６  下向き開口部
３４  刃受部材
４０  プラグ接続部
４１  プラグ挿入用穴
４２  突出部
４３ａ，４３ｂ  端子挿入用孔
５４ａ，５４ｂ  棒状端子（プラグ側端子）
１００  造営材
【図１】
2010129232.tif 000003
【図２】
2010129232.tif 000004
【図３】
2010129232.tif 000005
【図４】
2010129232.tif 000006
【図５】
2010129232.tif 000007
【図６】
2010129232.tif 000008
【図７】
2010129232.tif 000009
【図８】
2010129232.tif 000010
【図９】
2010129232.tif 000011
【図１０】
2010129232.tif 000012
【図１１】
2010129232.tif 000013
【図１２】
2010129232.tif 000014
【図１３】
2010129232.tif 000015
【図１４】
2010129232.tif 000016
【図１５】
2010129232.tif 000017
【図１６】
2010129232.tif 000018